(57)【要約】      （修正有）【課題】箱詰め眼部保護フイルム付きマスクを汚さずに取り出し易くする眼部保護フイルム付きマスクの箱形容器を提供する。【解決手段】眼部保護フイルム付きマスクは、マスク本体２の上部外面に眼部保護フイルム６を付け、マスク本体上側に眼部保護フイルムを突出しており、箱詰め形態では、マスク本体を内側に二つ折りして上部と下部を重ね、マスク本体を上側に、眼部保護フイルムを下側にし、マスク本体上部外面を正面にしている。箱は、直方体形状にし、正面板１２の上面板１３側を取出口１９にするため開口可能にし、背もたれ部材２１を入れ、背もたれ部材の正面を下面板２６の正面板側と背面板２７の上面板側の間に斜面状に配している。箱詰め形態の眼部保護フイルム付きマスクは、箱の正面板と背もたれ部材の間に入れ、背もたれ部材にもたれ掛けて箱詰めしている。取出時、箱の取出口を開き、マスクをマスク本体の二つ折り線部又はマスク本体上部の外面を摘まんで取り出す。【選択図】図９
0003200234.tif 000002
【実用新案登録請求の範囲】
【請求項１】
箱形容器は、眼部保護フイルム付きマスクを入れる箱と、箱に入れる背もたれ部材を備えており、
眼部保護フイルム付きマスクは、眼部保護フイルムとマスク本体を前後に並列し、マスク本体の前面、外面に眼部保護フイルムの後面、内面を重ね、マスク本体の上部に眼部保護フイルムの下部を付け、マスク本体の上側に眼部保護フイルムの上部を突出しており、
箱は、直方体形状にし、正面板の上面板側を取出口にするため開口可能にし、
背もたれ部材は、箱に入れ、正面を箱内の下面板の正面板側と背面板の上面板側の間に前下がりの斜面状に配置し、
眼部保護フイルム付きマスクは、マスク本体を内側に二つ折りにして上部の内面と下部の内面を重ね合わせ、二つ折りのマスク本体を上側に、眼部保護フイルムを下側にし、眼部保護フイルムの外面とマスク本体上部の外面を正面にして、箱詰め形態にし、
箱詰め形態の眼部保護フイルム付きマスクは、箱の正面板と箱内の背もたれ部材の間に入れ、後傾しにして背もたれ部材にもたれ掛け、複数枚を同様に背もたれ状態で箱に入れて前後方向に重ね、箱詰め形態の眼部保護フイルム付きマスクの複数枚を背もたれ積層状態で箱詰めしており、
箱から取り出す際は、箱の正面板の上面板側を開口して取出口を開き、箱内の最前層の眼部保護フイルム付きマスクをマスク本体の二つ折り線部又はマスク本体上部の外面を摘まんで取り出す構成にしでいることを特徴とする眼部保護フイルム付きマスクの箱形容器。
【請求項２】
背もたれ部材は、箱内の下面板の正面板側と背面板の上面板側の間に前下がりの斜面状に配置する傾斜板を有することを特徴とする請求項１に記載の眼部保護フイルム付きマスクの箱形容器。
【請求項３】
眼部保護フイルムは、下辺を凹状形状にし、凹状形状の左右にそれぞれ凸状端部を設け、左右の凸状端部をマスク本体上部の左右の端部に付着していることを特徴とする請求項１又は２に記載の眼部保護フイルム付きマスクの箱形容器。
【請求項４】
直方体形状の箱は、横長にし、奥行を高さより短くして端面を縦長にしていることを特徴とする請求項１、２又は３に記載の眼部保護フイルム付きマスクの箱形容器。
【請求項５】
箱形容器は、個人防護具の箱を入れる受け部を多段に配列している個人防護具ホルダーに配置可能にし、
直方体形状の箱は、個人防護具ホルダーの受け部に入る形状寸法にし、受け部に入った状態で正面板の上面板側を取出口にするため開口可能にしていることを特徴とする請求項１〜４のいずれかに記載の眼部保護フイルム付きマスクの箱形容器。
【請求項６】
箱形容器は、個人防護具ホルダーに前傾姿勢で配置可能にしていることを特徴とする請求項５に記載の眼部保護フイルム付きマスクの箱形容器。
【請求項７】
直方体形状の箱は、背面板に壁掛け用の孔開け部を設けていることを特徴とする請求項１〜６のいずれかに記載の眼部保護フイルム付きマスクの箱形容器。
【考案の詳細な説明】
【技術分野】
【０００１】
本考案は、医療従事者などが使用する眼部保護フイルム付きマスクを箱詰めする箱形容器に関する。
【背景技術】
【０００２】
医師、看護師や介護士のような医療従事者は、眼部を保護するフイルム付きのマスクを使用する。眼部保護フイルム付きマスクは、眼部保護フイルムを透明樹脂フイルムで、マスク本体を不織布や織布で構成している。眼部保護フイルムとマスク本体は、前後に並列し、マスク本体の前面、外面に眼部保護フイルムの後面、内面を重ねている。マスク本体の上部には、眼部保護フイルムの下部を付けている。マスク本体の上側には、眼部保護フイルムの上部を突出している。マスク本体は、左右の端に着用紐を取り付けている。着用紐で眼部保護フイルム付きマスクを着用すると、下側のマスク本体は着用者の口部と鼻部を、上側の眼部保護フイルムは着用者の眼部を覆う。
このような眼部保護フイルム付きマスクは、平板状に展開し、複数枚を平積み状態で扁平な直方体形状の箱に入れ、平積み箱詰め状態で販売する。購入者は、使用時に、扁平な箱を机、棚や台の上に載せ、箱上面の取出口を開口し、取出口から、箱内に平積みされている眼部保護フイルム付きマスクの最上層の１枚を摘まみ上げて箱から取り出す。
【０００３】
一方、医療施設では、病室や処置室の入口に個人防護具（ＰＰＥ）のホルダーを設置し、ホルダーに箱詰めのキャップ、マスク、グローブやエプロンなどの複数種の個人防護具を配置している。医療従事者は、入室時にホルダーの箱詰め個人防護具の１種又は数種を取り出して着用する。
個人防護具ホルダーは、個人防護具の箱を入れる受け部を多段に配列している。各段の受け部は、縦の基板状部材の正面側に、個人防護具の箱を支える底部材と、その箱の左右方向と前方向への移動を規制する側部材を設けている。
【先行技術文献】
【特許文献】
【０００４】
【特許文献１】実開平４−１０８５１９号公報
【考案の概要】
【考案が解決しようとする課題】
【０００５】
［課  題］
上記のような眼部保護フイルム付きマスクの箱から、平積み状態の眼部保護フイルム付きマスクを摘まみ出す際、眼部保護フイルムやマスク本体を指で摘まんで汚すことがある。マスク本体の内面や眼部保護フイルムの内面が汚れると、その汚れが着用者の顔面に付着することになる。衛生的でなくなる。また、眼部保護フイルムは、内面でも外面でも汚れると、透明度が落ち、透視し難くなる。使用し難くなる。箱詰めの眼部保護フイルム付きマスクは、マスク本体の内面や眼部保護フイルムを汚さずに取り出し易くしたい。
【０００６】
また、上記のような眼部保護フイルム付きマスクを平板状に展開して平積み状態で詰めた扁平な箱は、個人防護具ホルダーの受け部に入らない。眼部保護フイルム付きマスクの箱は、個人防護具ホルダーに配置可能にし、配置した状態で眼部保護フイルム付きマスクを汚さずに取り出し易くしたい。
【０００７】
［着  想］
眼部保護フイルム付きマスクの箱は、個人防護具ホルダーの受け部に入れて取出口を開口可能にする。このような箱に眼部保護フイルム付きマスクを箱詰めする。そのため、個人防護具ホルダーの受け部に入る箱の形状寸法、取出口の位置と眼部保護フイルム付きマスクの箱詰め形態について考察する。
【０００８】
箱は、個人防護具ホルダーの受け部に入る形状寸法の直方体形状にする。個人防護具ホルダーに配置可能な箱にする。個人防護具ホルダーに配置した箱では、取出口を、上面板より正面板に配置した方が取り出し易くなる。正面板の上面板側に配置すると、更に取り出し易くなる。
【０００９】
取出口を正面板の上面板側に配置した箱では、内部の眼部保護フイルム付きマスクが平積み状態であると、取り出し難くなる。内部の眼部保護フイルム付きマスクは、横の平面状ではなく、縦の立面状に配置した方が取り出し易くなる。
【００１０】
ところが、眼部保護フイルム付きマスクは、マスク本体の上側に眼部保護フイルムが突出していて、背が高い。縦の平板状に展開した状態では、個人防護具ホルダーに配置可能な箱に入らない。そこで、眼部保護フイルム付きマスクは、マスク本体を二つ折りにして上部と下部を重ね合わせる。背を低くする。箱詰め形態は、マスク本体の二つ折りにする。その上、箱内では、直立ではなく、前後方向に倒して斜めにする。背を低くする。箱詰め形態は、斜め倒しにする。
【００１１】
更に、箱の正面板の上面板側の取出口から眼部保護フイルム付きマスクを摘まみ出すときに、マスク本体の内面や眼部保護フイルムに指が触れ難い箱詰め形態について考察する。
【００１２】
マスク本体は、二つ折りにする際、内面を外側ではなく内側にして、上部の内面と下部の内面を重ね合わせる。また、マスク本体の上部の外面と眼部保護フイルムの外面を正面にする。更に、眼部保護フイルム付きマスクは、上下を逆にし、マスク本体を上側に、眼部保護フイルムを下側にする。
【００１３】
眼部保護フイルム付きマスクは、二つ折りのマスク本体を上側に、眼部保護フイルムを下側にすると、上側部分が下側部分より厚くなる。そこで、箱詰め形態は、斜め倒しを前倒しではなく後傾しにする。
【００１４】
このような考察に基づき、眼部保護フイルム付きマスクの箱形容器は、次のようにする。
眼部保護フイルム付きマスクの箱形容器は、眼部保護フイルム付きマスクを入れる箱の外に、箱に入れる背もたれ部材を用意する。箱は、直方体形状にし、正面板の上面板側を取出口にするため開口可能にする。背もたれ部材は、箱に入れ、正面を箱内の下面板の正面板側と背面板の上面板側の間に前下がりの斜面状に配置する。
【００１５】
眼部保護フイルム付きマスクは、マスク本体を二つ折りにして上部の内面と下部の内面を重ね合わせる。二つ折りのマスク本体を上側にし、眼部保護フイルムを下側にする。眼部保護フイルムの外面とマスク本体上部の外面を正面にする。このような箱詰め形態にする。
【００１６】
箱詰め形態の眼部保護フイルム付きマスクは、箱の正面板と箱内の背もたれ部材の間に入れ、後傾しにして背もたれ部材にもたれ掛ける。複数枚を同様に背もたれ状態で箱に入れ、前後方向に重ねる。箱詰め形態の眼部保護フイルム付きマスクの複数枚を背もたれ積層状態で箱詰めする。
【００１７】
箱形容器から取り出す際は、箱の正面板の上面板側を開口して取出口を開く。すると、取出口から箱内の最前層の眼部保護フイルム付きマスクのマスク本体上部の外面が見える。そこで、箱内の最前層の眼部保護フイルム付きマスクをマスク本体の二つ折り線部又はマスク本体上部の外面を摘まんで取り出す。その眼部保護フイルム付きマスクは、指の接触した部分がマスク本体の外面のみである。マスク本体の内面と眼部保護フイルムには、指が接触しない。指の接触による汚れがない。
【００１８】
箱から摘み出した箱詰め形態の眼部保護フイルム付きマスクは、二つ折りのマスク本体を展開し、マスク本体の上側に眼部保護フイルムを配置して、着用する。
【課題を解決するための手段】
【００１９】
１．箱形容器は、眼部保護フイルム付きマスクを入れる箱と、箱に入れる背もたれ部材を備えており、
眼部保護フイルム付きマスクは、眼部保護フイルムとマスク本体を前後に並列し、マスク本体の前面、外面に眼部保護フイルムの後面、内面を重ね、マスク本体の上部に眼部保護フイルムの下部を付け、マスク本体の上側に眼部保護フイルムの上部を突出しており、
箱は、直方体形状にし、正面板の上面板側を取出口にするため開口可能にし、
背もたれ部材は、箱に入れ、正面を箱内の下面板の正面板側と背面板の上面板側の間に前下がりの斜面状に配置し、
眼部保護フイルム付きマスクは、マスク本体を内側に二つ折りにして上部の内面と下部の内面を重ね合わせ、二つ折りのマスク本体を上側に、眼部保護フイルムを下側にし、眼部保護フイルムの外面とマスク本体上部の外面を正面にして、箱詰め形態にし、
箱詰め形態の眼部保護フイルム付きマスクは、箱の正面板と箱内の背もたれ部材の間に入れ、後傾しにして背もたれ部材にもたれ掛け、複数枚を同様に背もたれ状態で箱に入れて前後方向に重ね、箱詰め形態の眼部保護フイルム付きマスクの複数枚を背もたれ積層状態で箱詰めしており、
箱から取り出す際は、箱の正面板の上面板側を開口して取出口を開き、箱内の最前層の眼部保護フイルム付きマスクをマスク本体の二つ折り線部又はマスク本体上部の外面を摘まんで取り出す構成にしでいることを特徴とする眼部保護フイルム付きマスクの箱形容器。
２．上記１の眼部保護フイルム付きマスクの箱形容器において、
背もたれ部材は、箱内の下面板の正面板側と背面板の上面板側の間に前下がりの斜面状に配置する傾斜板を有することを特徴とする。
３．上記１又は２の眼部保護フイルム付きマスクの箱形容器において、
眼部保護フイルムは、下辺を凹状形状にし、凹状形状の左右にそれぞれ凸状端部を設け、左右の凸状端部をマスク本体上部の左右の端部に付着していることを特徴とする。
４．上記１、２又は３の眼部保護フイルム付きマスクの箱形容器において、
直方体形状の箱は、横長にし、奥行を高さより短くして端面を縦長にしていることを特徴とする。
５．上記１〜４のいずれかの眼部保護フイルム付きマスクの箱形容器において、
箱形容器は、個人防護具の箱を入れる受け部を多段に配列している個人防護具ホルダーに配置可能にし、
直方体形状の箱は、個人防護具ホルダーの受け部に入る形状寸法にし、受け部に入った状態で正面板の上面板側を取出口にするため開口可能にしていることを特徴とする。
６．上記５の眼部保護フイルム付きマスクの箱形容器において、
箱形容器は、個人防護具ホルダーに前傾姿勢で配置可能にしていることを特徴とする。
７．上記１〜６のいずれかの眼部保護フイルム付きマスクの箱形容器において、
直方体形状の箱は、背面板に壁掛け用の孔開け部を設けていることを特徴とする。
【考案の効果】
【００２０】
箱形容器は、眼部保護フイルム付きマスクをマスク本体の内面や眼部保護フイルムを汚さずに取り出し易い。
また、箱形容器は、個人防護具ホルダーに配置可能であり、配置した状態で眼部保護フイルム付きマスクをマスク本体の内面や眼部保護フイルムを汚さずに取り出し易い。
【図面の簡単な説明】
【００２１】
【図１】本考案の実施形態における箱形容器に箱詰めする眼部保護フイルム付きマスクの正面図。
【図２】同眼部保護フイルム付きマスクのマスク本体を二つ折りした状態の正面図。
【図３】同眼部保護フイルム付きマスクの二つ折りのマスク本体を上側にした箱詰め形態の正面図。
【図４】図３のＡ−Ａ線断面で、同眼部保護フイルム付きマスクの厚さ方向を拡大した図。
【図５】同箱形容器の正面図。
【図６】図５のＢ−Ｂ線断面図。
【図７】同箱形容器において箱に背もたれ部材と眼部保護フイルム付きマスクを入れる工程を説明する斜視図。
【図８】同箱形容器の取出口を開いた状態の正面図。
【図９】図８のC−C線断面図。
【図１０】同箱形容器を個人防護具ホルダーに配置した状態の正面図。
【図１１】同状態の右側面図。
【図１２】同箱形容器の背面図。
【図１３】同箱形容器を横長姿勢で壁掛けした状態の断面図。
【考案を実施するための形態】
【００２２】
実施形態の箱形容器に箱詰めする眼部保護フイルム付きマスクは、医療従事者が使用する医療用であり、図１に示すように、マスク１に眼部保護フイルム６を付けている。マスク１は、マスク本体２を不織布の折畳みと溶着で横長の長方形状に形成している。マスク本体２は、着用者の口部と鼻部を覆う形状寸法にし、左右の端にそれぞれ着用紐の耳掛け紐３を取り付けている。眼部保護フイルム６は、透明樹脂フイルムの切抜きで横長形状に形成し、着用者の眼部を覆う形状寸法にしている。眼部保護フイルム６の横方向長さ、左右方向長さは、マスク本体２のそれより長くしている。眼部保護フイルム６は、上辺を凸状形状に、下辺を凹状形状にしている。凹状形状の左右には、それぞれ、凸状端部７を設けている。
【００２３】
眼部保護フイルム６とマスク１は、前後に並列し、マスク本体２の上部４の前面、外面に眼部保護フイルム６の下部の後面、内面を重ねている。マスク本体の上部４は、左右の端部に眼部保護フイルム６下部の左右の凸状端部７を溶着して固着している。眼部保護フイルム６の下部は、左右の凸状端部７の間では、マスク本体上部４を覆っていない。マスク本体２の上側には、眼部保護フイルム６の上部を突出している。眼部保護フイルム付きマスクは、マスク１を下側に、眼部保護フイルム６を上側にしている。
【００２４】
眼部保護フイルム付きマスクは、箱詰め形態にするとき、図２に示すように、マスク本体２を内側に二つ折りにして上部４の内面と下部５の内面を重ね合わせる。左右の耳掛け紐３は、それぞれ、二つ折りのマスク本体２の上部４と下部５の間に挟み込む。そして、眼部保護フイルム付きマスクは、図３と図４に示すように、上下を逆にし、二つ折りのマスク本体２を上側に、眼部保護フイルム６を下側にする。眼部保護フイルム６の外面とマスク本体上部４の外面を手前、正面にする。
【００２５】
実施形態の箱形容器は、箱１１と背もたれ部材２１を備えている。箱１１は、厚紙の切断、折り曲げと接着で、図５〜図７に示すように、横長の直方体形状に形成している。横長直方体形状の箱１１は、奥行を高さより短くして、端面を縦長長方形状にしている。箱１１の左右の端面は、それぞれ、開閉可能にしている。箱１１の正面板１２の上面板１３側は、取出口を形成するため、開口可能にしている。
【００２６】
箱の上面板１３は、正面板１２側に直線の折り曲げ線１４を正面板１２に沿って設け、折り曲げ線１４の左右の端からそれぞれ正面板１２側の端に直線の弱め線１５を前後方向に沿って設けている。箱の正面板１２は、上面板１３の左右の弱め線１５の端からそれぞれ折線の弱め線１６を設けている。左右の折線の弱め線１６は、それぞれ、上部の直線部を縦に配置し、下部の直線部を横に配置して左右方向中央に向かって下がる斜線にしている。左右の弱め線１６の斜線の下端の間には、差込片１７を正面板１２の切断で形成している。弱め線１５、１６は、ミシン目にしている。各弱め線１５、１６を切断して、弱め線内側部分、蓋部分１８を、折り曲げ線１４で折り曲げて前上側に開くと、図８と図９に示すように、正面板１２の上面板１３側に蓋１８付きの取出口１９が形成される。
【００２７】
背もたれ部材２１は、厚紙の切断と二つ折りで、図６と図７に示すように、横長の折り紙にして断面形状を∠形、横倒Ｖの字形にしている。∠形断面形状の背もたれ部材２１は、下側に横板２２を、上側に傾斜板２３を設けている。横板２２は、前後方向長さを箱１１の下面板２６のそれより少し短くしている。傾斜板２３は、上下斜方向長さを箱１１の端面、断面の対角線より少し短くしている。背もたれ部材２１は、横方向長さ、左右方向長さを箱１１のそれより少し短くしている。
【００２８】
箱形容器１１、２１に眼部保護フイルム６付きマスク１を入れるときは、図７に示すように、箱１１の片端の端面を開口し、箱１１に背もたれ部材２１を入れる。その際、箱１１と背もたれ部材２１は、長手方向を揃える。また、背もたれ部材２１は、図６に示すように、折り曲げ部を箱１１の正面板１２側にし、横板２２を箱１１の下面板２６の上に載せ、傾斜板２３を箱１１の断面の対角線状に配置する。即ち、傾斜板２３は、箱１１内の下面板２６の正面板１２側と背面板２７の上面板１３側との間に前下がりの斜面状に配置する。次に、背もたれ部材２１の傾斜板２３と箱１１の正面板１２との間に、箱詰め形態の眼部保護フイルム６付きマスク１を入れる。その際、箱詰め形態の眼部保護フイルム６付きマスク１は、後倒しにして背もたれ部材２１の傾斜板２３の正面にもたれ掛ける。眼部保護フイルム６付きマスク１は、複数枚を同様に箱に入れて背もたれ姿勢にし、前後方向に重ねる。箱形容器１１、２１には、箱詰め形態の眼部保護フイルム６付きマスク１の複数枚を背もたれ積層状態で詰める。
【００２９】
箱形容器１１、２１から眼部保護フイルム６付きマスク１を取り出すときには、図８と図９に示すように、箱１１の正面板１２の上面板１３側を開口して取出口１９を開く。すると、取出口１９から箱１１内の眼部保護フイルム６付きマスク１のマスク本体上部４の外面、指で摘まむ部分が見える。そこで、箱１１内の背もたれ積層状態の眼部保護フイルム６付きマスク１から最前層の１枚をマスク本体２の折り曲げ部又はマスク本体上部４の外面を摘まんで取り出す。箱１１から摘み出した眼部保護フイルム６付きマスク１は、指の接触した部分がマスク本体２の外面のみであり、マスク本体２の内面と眼部保護フイルム６には指が触れない。指の接触による汚れがない。
【００３０】
箱１１から取り出した箱詰め形態の眼部保護フイルム６付きマスク１は、二つ折りのマスク本体２を展開し、左右の耳掛け紐３をそれぞれ左方、右方に突出する。そして、マスク本体２の上側に眼部保護フイルム６を配置し、マスク本体２と眼部保護フイルム６の内面を顔面に向ける。このように着用形態にし、左右の耳掛け紐３を用いて着用する。
【００３１】
眼部保護フイルム６付きマスク１を箱詰めしている箱形容器１１、２１は、病室や処置室の入口に設置した個人防護具ホルダー３１に配置する。
【００３２】
個人防護具ホルダー３１は、合成樹脂成形品にし、図１０と図１１に示すように、個人防護具の箱を入れる受け部３２を多段に配列している。各段の受け部３２は、それぞれ、縦の基板状部材３３の正面側に、個人防護具の箱を支える底部材３４を設けている。底部材３４は、上面を前下がりの斜面にしている。また、個人防護具の箱の左右方向と前方向への移動を規制する側部材３５を設けている。側部材３５は、箱の左方向と前方向への移動を規制する側部材と、右方向と前方向への移動を規制する側部材を別々に左右に設け、中央には設けていない。基板状部材３３は、病室や処置室の壁に掛ける壁掛け孔３６を設けている。図示例では、個人防護具ホルダー３１は、上から２段目の受け部３２に、取出口１９を開いていない状態の箱形容器１１、２１を入れている。最下段の受け部３２には、取出口１９を開いた状態の箱形容器１１、２１を入れている。箱形容器１１、２１は、受け部３２に前傾姿勢で配置している。そして、箱１１は、正面板１２の蓋部分１８、取出口１９が左右の側部材３５で覆われない。上面板１３の上側に蓋１８が展開する空間がある。
【００３３】
即ち、箱１１は、支持部３２に入る形状寸法にしている。また、受け部３２に入った状態で、正面板１２の上面板１３側、取出口１９を開口可能にしている。更に、取出口１９は、箱１１の正面板１２の上面板１３側、正面上部に位置している。取出口１９から箱１１内の眼部保護フイルム６付きマスク１のマスク本体上部４の外面、指で摘まむ部分、が見える。摘み出し易い。
【００３４】
箱形容器１１、２１は、病室や処置室の壁に掛けて使用することもできる。箱１１は、図１２に示すように、背面板２７に壁掛け用の孔開け部２８、２９を設けている。背面板２７は、上部の左右に横長姿勢で壁掛けする孔開け部２８を、上下方向中央の左側又は右側に縦長姿勢で壁掛けする孔開け部２９を配置している。孔開け部２８、２９は、それぞれ、折り曲げ線と弱め線で舌形状に形成している。弱め線は、ミシン目にしている。箱１１は、図１３に示すように、横長姿勢で壁掛けした状態で、取出口１９が正面上部に位置し、取出口１９から箱１１内の眼部保護フイルム６付きマスク１のマスク本体上部４の外面、指で摘まむ部分、が見える。摘み出し易い。縦長姿勢で壁掛けした状態でも、取出口１９から箱１１内の眼部保護フイルム６付きマスク１のマスク本体上部４の外面が見える。摘み出し易い。
【００３５】
箱形容器１１、２１は、従来の場合と同様に、机、棚や台の上に設置して使用することもできる。箱形容器１１、２１は、従来の平積み箱詰めの扁平な箱に比し、平面面積が少ない。机上などに設置した場合、設置面積が少ない。また、箱内に落下菌が入り難い。
【００３６】
［変形例］
本考案は、上記の実施形態に限定されない。次のような変形が例示される。
１．上記の実施形態において、背もたれ部材２１は、断面形状を∠形にして平板の横板２２と傾斜板２３で構成しているが、横板２２をなくして傾斜板２３のみにする。又は、その他の構成にする。
２．上記の実施形態において、背もたれ部材２１の傾斜板２３は、上下斜方向長さを箱１１の断面の対角線より短くして、箱１１内の下面板２６の正面板１２側と背面板２７の上面板１３側との間に配置しているが、上下斜方向長さを箱１１の断面の対角線と同じ又はそれより長くして、箱１１内の下面板２６の正面板１２側の前端と背面板２７の上面板１３側の上端との間に配置する。
３．上記の実施形態において、背もたれ部材２１の傾斜板２３は、箱１１内に傾斜平面状に配置しているが、傾斜曲面状に配置する。傾斜凹面状又は傾斜凸面状に配置する。
４．上記の実施形態において、マスク１は、着用紐をゴム紐の耳掛け式３にしているが、頭の後を横断するバンド式又はその他の方式にする。
５．上記の実施形態において、個人防護具ホルダー３１は、壁掛け式にしているが、自立式又はその他の方式にする。
６．上記の実施形態において、箱１１と背もたれ部材２１は、紙製にしているが、合成樹脂製又はその他の素材製にする。
７．上記の実施形態において、マスク１は、マスク本体２を不織布製にしているが、織布製又はその他の素材製にする。
８．上記の実施形態において、個人防護具ホルダー３１は、合成樹脂製にしているが、網製、針金製又はその他の素材製にする。
【符号の説明】
【００３７】
１  マスク
２  マスク本体
３  耳掛け紐、着用紐
４  マスク本体の上部
５  マスク本体の下部
６  眼部保護フイルム
７  眼部保護フイルム下部の左右の凸状端部
１１  箱
１２  箱の正面板
１３  箱の上面板
１４  折り曲げ線
１５  直線の弱め線、ミシン目
１６  折線の弱め線、ミシン目
１７  差込片
１８  弱め線内側部分、蓋部分、蓋
１９  取出口
２１  背もたれ部材
２２  背もたれ部材の横板
２３  背もたれ部材の傾斜板
２６  箱の下面板
２７  箱の背面板
２８、２９  壁掛け用の孔開け部
２８  横長姿勢で壁掛けする孔開け部
２９  縦長姿勢で壁掛けする孔開け部
３１  個人防護具ホルダー
３２  受け部
３３  基板状部材
３４  底部材
３５  側部材
３６  壁掛け孔
【図１】
0003200234.tif 000003
【図２】
0003200234.tif 000004
【図３】
0003200234.tif 000005
【図４】
0003200234.tif 000006
【図５】
0003200234.tif 000007
【図６】
0003200234.tif 000008
【図７】
0003200234.tif 000009
【図８】
0003200234.tif 000010
【図９】
0003200234.tif 000011
【図１０】
0003200234.tif 000012
【図１１】
0003200234.tif 000013
【図１２】
0003200234.tif 000014
【図１３】
0003200234.tif 000015